(57)【要約】【課題】電波環境におけるレインセンサの誤作動を防止する。【解決手段】レインセンサ３は発光素子１６から出射されてウインドシールドＷで反射した光を受光素子１７に受光し、受光信号増幅回路１８で増幅した受光信号に基づいて制御ユニット３０が降雨レベルを判定して、ワイパ制御信号をワイパ駆動部２へ出力する。発光素子駆動回路１５および受光信号増幅回路１８ととともに、低周波の演算増幅器で構成する高周波信号検出回路２０をＩＣチップＣに集積し、高周波信号検出回路が出力する高周波検出電圧のピーク値が所定値を越えるとき、制御ユニット３０はその際の受光信号を用いない誤作動防止モードになる。集積化容易な低周波の演算増幅器で高周波信号検出回路を構成するので低コストで実現できる。【選択図】図１
2011075388.tif 000002
【特許請求の範囲】
【請求項１】
反転入力端子、非反転入力端子および出力端子を備える低周波演算増幅器と、
前記反転入力端子と非反転入力端子にそれぞれ接続されるバイアス抵抗と、
前記出力端子と前記反転入力端子との間に接続される帰還抵抗と、
前記反転入力端子または非反転入力端子の一方に接続したアンテナとから構成され、
前記出力端子から電波強度に応じた高周波検出信号を出力することを特徴とする電波検出装置。
【請求項２】
前記低周波演算増幅器、バイアス抵抗および帰還抵抗を１つのＩＣチップ内に集積回路として形成したことを特徴とする請求項１に記載の電波検出装置。
【請求項３】
出力が電波環境の影響を受ける被影響回路を含む電子機器において、
請求項１または２に記載の電波検出装置を備え、
該電波検出装置が出力する高周波検出信号が所定値を越えるときは、前記被影響回路の出力に基づく誤作動を防止する誤作動防止モードを有することを特徴とする電子機器。
【請求項４】
出力が電波環境の影響を受ける被影響回路を含む電子機器において、
請求項２に記載の電波検出装置を備え、
該電波検出装置の集積回路は、前記被影響回路と同一ＩＣチップ内に形成されており、
前記電波検出装置が出力する高周波検出信号が所定値を越えるときは、前記被影響回路の出力に基づく誤作動を防止する誤作動防止モードを有することを特徴とする電子機器。
【請求項５】
前記電波検出装置が形成された前記ＩＣチップが基板に実装され、該基板のグラウンドパターンを前記アンテナとしていることを特徴とする請求項４に記載の電子機器。
【請求項６】
発光素子と、該発光素子から出射されウインドシールドの界面で反射した光を受光する受光素子と、該受光素子の出力を増幅する受光信号増幅回路とを備え、該受光信号増幅回路で増幅された受光信号に基づいて降雨レベルの判定を行うレインセンサにおいて、
反転入力端子、非反転入力端子および出力端子を備える低周波演算増幅器と、前記反転入力端子と非反転入力端子にそれぞれ接続されるバイアス抵抗と、前記出力端子と前記反転入力端子との間に接続される帰還抵抗とを前記受光信号増幅回路と共通のＩＣチップ内に集積回路として形成し、前記反転入力端子または非反転入力端子の一方にアンテナを接続して、前記出力端子から高周波検出信号を出力する電波検出装置を有し、
該電波検出装置が出力する高周波検出信号が所定値を越えるときは、電波の影響による誤作動を防止する誤作動防止モードを有することを特徴とするレインセンサ。
【請求項７】
前記誤作動防止モードは、前記高周波検出信号が所定値を越える前の受光信号に基づいて降雨レベルの判定を行うものであることを特徴とする請求項６に記載のレインセンサ。
【請求項８】
前記誤作動防止モードは、前記高周波検出信号が所定値を越える前の降雨レベルの判定を維持するものであることを特徴とする請求項６に記載のレインセンサ。
【発明の詳細な説明】
【技術分野】
【０００１】
本発明は、電波検出装置およびこれを備えて電波による誤動作を防止するようにした電子機器に関する。
【背景技術】
【０００２】
例えば車両には、ウインドシールドを払拭するワイパを降雨状態に応じて自動的にオン・オフするために、特開２００３−１２１５５９号公報に開示されたような、降雨の有無を検知するセンサ装置としてレインセンサが搭載されるようになっている。
レインセンサは、ＬＥＤなどの発光素子から光をプリズム等を介して室内側からウインドシールドの外側界面に照射し、その反射光をプリズムにより集光させてフォトダイオードなどの受光素子に受光する。雨滴がウインドシールドに付着すると、界面での反射率が変化し、受光素子の出力が変化する。
受光素子の出力は増幅回路で増幅された受光信号として演算処理回路に入力され、演算処理回路では受光信号の電圧低下の状態に基づいて、雨滴の付着有無を判定して、センサ出力としてワイパ制御信号を出力する。
【先行技術文献】
【特許文献】
【０００３】
【特許文献１】特開２００３−１２１５５９号公報
【発明の概要】
【発明が解決しようとする課題】
【０００４】
ところで、車両にはドアロックその他、数多くの部位に電気的制御で動作する作動装置が設置され、作動装置とそれらを制御する制御ユニット間を結ぶワイヤハーネスも膨大な量となる中で、ワイヤハーネスから無線通信への置き換えも進展している状況にある。また最近では車内での携帯電話の使用も多い。その他、車両外部の無線設備から発射される高出力の電波も多い。
このため、車両はこれらの無線通信の電波や従来からの雑音電波などが飛び交う環境となっており、レインセンサもこのような電波に曝される。
【０００５】
ここで、受光素子（フォトダイオード）の出力は微小な光電流であるため、これを増幅する増幅回路は後段での処理に必要な信号レベルを得るために高利得のものを用いることになる。このため、所定レベル以上の電波に曝された場合には、受光素子自体の出力信号が雨滴付着を示す所定の変化を示さないにもかかわらず、当該電波の影響が増幅回路出力の信号レベルの変動や雑音の増加として現れる。このレベル変化や雑音を雨滴付着によるものと誤判定して、実際には降雨状態でないのに雨滴を検出したときと同様に、ワイパ制御信号を出力してしまうことになる。
【０００６】
そこで、レインセンサの電波による誤動作の回避のためには、レインセンサが電波環境に曝されていることを検知して対処することが必要となる。
一般に電波環境の検出には、高周波検波ダイオードなどの高周波専用半導体を用いた電波検出回路がある。
しかしながら、このような従来の電波検出回路は高周波検波ダイオードが比較的高価であることや、高周波検波ダイオードを外付けした回路を構成しなければならないという問題を有していた。
なお、電波環境の検出の必要性を車両用のレインセンサを例に述べたが、電波による誤動作はレインセンサだけでなく、種々の他の電子機器においても同様に発生する。
【０００７】
したがって本発明は、上記従来の問題点に鑑み、低コストで確実に電波を検出できる電波検出装置、およびこの電波検出装置を備えて、電波による誤動作を防止可能とした電子機器を提供することを目的とする。
【課題を解決するための手段】
【０００８】
請求項１の発明の電波検出装置は、反転入力端子、非反転入力端子および出力端子を備える低周波演算増幅器と、反転入力端子と非反転入力端子にそれぞれ接続されるバイアス抵抗と、出力端子と反転入力端子との間に接続される帰還抵抗と、反転入力端子または非反転入力端子の一方に接続したアンテナとから構成され、出力端子から電波強度に応じた高周波検出信号を出力するものとした。
とくに、低周波演算増幅器、バイアス抵抗および帰還抵抗は１つのＩＣチップ内に集積回路として形成することができる。
【０００９】
請求項３の発明は、出力が電波環境の影響を受ける被影響回路を含む電子機器において、請求項１に記載の電波検出装置を備え、該電波検出装置が出力する高周波検出信号が所定値を越えるときは、被影響回路の出力に基づく誤作動を防止する誤作動防止モードを有するものとした。
上記の電波検出装置の集積回路は、被影響回路と同一ＩＣチップ内に形成されるのが好ましい。
また、電波検出装置が形成されたＩＣチップを実装する基板のグラウンドパターンを上記アンテナとすることができる。
【発明の効果】
【００１０】
請求項１の発明の電波検出装置によれば、低周波の演算増幅器を用いて電波強度に応じた高周波検出信号が出力されるので、低コストで電波環境を検出できる。
【００１１】
請求項３の発明の電子機器は、高周波検出信号が所定値を越えるとき機能する誤作動防止モードを有するので、被影響回路の出力に原因する誤作動が確実に回避される。
なお、電波検出装置を被影響回路と同一ＩＣチップ内に形成すれば、電子機器をとくにコンパクトな構成とすることができる。
また、電波検出装置が形成されたＩＣチップを実装する基板のグラウンドパターンを上記アンテナとすることにより、一層コンパクトな構成とすることができる。
【図面の簡単な説明】
【００１２】
【図１】本発明の実施の形態の全体構成を示すブロック図である。
【図２】高周波信号検出回路の構成を示す図である。
【図３】レインセンサの実装レイアウトを示す図である。
【図４】基板上のＩＣチップ配置を示す図である。
【図５】高周波信号入力に対する高周波信号検出回路の出力を示す図である。
【図６】誤作動防止にかかる制御の流れを示すフローチャートである。
【発明を実施するための形態】
【００１３】
次に、本発明をレインセンサに適用した実施の形態について説明する。
図１はレインセンサを用いた車両用のウインドワイパ装置の全体構成を示すブロック図である。
ウインドワイパ装置１は、ワイパモータＭを駆動するワイパ駆動部２にレインセンサ３を接続して構成される。レインセンサ３は、マイクロコンピュータからなる制御ユニット３０を有し、制御ユニット３０には発光素子駆動回路１５を介して、例えば赤外線ＬＥＤを用いた発光素子１６が接続されている。
発光素子駆動回路１５は、制御ユニット３０からの点灯タイミング信号に基づいて、赤外線パルス光を出射するように発光素子１６を駆動する。
また、フォトダイオードからなる受光素子１７に受光信号増幅回路１８が接続され、受光信号増幅回路１８は受光素子１７の出力電流を電圧変換し増幅した受光信号を制御ユニット３０に入力する。
【００１４】
制御ユニット３０は、受光信号のピーク値をホールドする第１ピークホールド回路３１と、当該ピーク値をディジタル値に変換した上所定の雨滴判定プログラムにしたがってピーク値に基づいて降雨レベルの判定を行う降雨判定部３５と、降雨レベルに応じたワイパ制御信号をワイパ駆動部２へ出力するワイパ制御信号生成部３６を含む。
制御ユニット３０はまた、第１ピークホールド回路３１でホールドした受光信号のピーク値を一時記憶する内蔵のデータメモリ３２と、後述する高周波検出電圧のピーク値をホールドする第２ピークホールド回路３３と、高周波検出電圧のピーク値に応じてデータメモリ内のデータを選択するデータ選択部３４も備えている。
【００１５】
制御ユニット３０には、高周波信号検出回路２０が接続されている。
この高周波信号検出回路２０は演算増幅器２２を主構成とし、発光素子駆動回路１５および受光信号増幅回路１８とともに１つのＩＣチップに内蔵されて集積回路を形成している。
図２は、高周波信号検出回路２０の具体的な構成を示す。
ＩＣチップＣには外部端子として負入力端子Ｔ−と検出出力端子ＲＦＯＵＴ、および正入力端子Ｔ＋が設けられる。なお、ＩＣチップＣには発光素子駆動回路１５および受光信号増幅回路１８を制御ユニットに接続する端子も設けられているが、図示省略してある。
【００１６】
高周波信号検出回路２０の演算増幅器２２は、ゼロクロス周波数が１ＭＨｚ程度の低周波増幅器で回路を構成出来るため、低コストである。
トランジスタＱ１〜Ｑ４は演算増幅器２２の入力段回路であり、とくにトランジスタＱ１、Ｑ２は差動増幅回路を形成し、トランジスタＱ３、Ｑ４はカレントミラー定電流回路をなしている。
【００１７】
演算増幅器２２の反転入力端子が負入力端子Ｔ−に接続され、非反転入力端子が正入力端子Ｔ＋に、そして演算増幅器２２の出力端子が検出出力端子ＲＦＯＵＴに接続されている。
さらに、演算増幅器２２の反転入力端子と非反転入力端子とはそれぞれバイアス抵抗Ｒ１、Ｒ２を介して、分圧抵抗Ｒ４、Ｒ５で生成される基準電圧Ｖｒｅｆに接続している。
なお、分圧抵抗Ｒ４、Ｒ５により基準電圧Ｖｒｅｆを設けているのは、演算増幅器２２を単電源で動作させるためである。演算増幅器２２を両電源で動作させる場合は、バイアス抵抗Ｒ１、Ｒ２がＧＮＤに接続される。
演算増幅器２２の出力端子と反転入力端子の間には帰還抵抗Ｒ３を接続してある。
負入力端子Ｔ−に入力結合コンデンサ２６を介してアンテナ２５が接続され、検出出力端子ＲＦＯＵＴが制御ユニット３０の第２ピークホールド回路３３に接続される。
【００１８】
図３はレインセンサ３の実装例を示す。
発光素子１６と受光素子１７はウインドシールドＷの内壁（室内側）近傍に配置した基板７上に設置され、ウインドシールドＷの内壁にはプリズム１０が取り付けられている。
この基板７とプリズム１０がケースに収納されて検知ユニット５を形成している。
プリズム１０は平坦な底面１２と、これを挟んで反対方向に延びる光導入部１１および光導出部１３を備えて、底面１２をウインドシールドＷに貼着されている。そして、光導入部１１の先端が発光素子１６に対向し、光導出部１３の先端が受光素子１７に対向している。
これにより、発光素子１６から出射された光は光導入部１１を通って底面１２からウインドシールドＷの外側界面で反射し、光導出部１３を経て受光素子１７に入射する。
【００１９】
基板７は多層構成で、図４に示すように、内層のほぼ全面に銅箔のグラウンドパターンＰＧＮＤが形成され、外層基板上に制御ユニット３０およびＩＣチップＣが発光素子１６および受光素子１７とともに取り付けられている。
ＩＣチップＣの負入力端子Ｔ−は入力結合コンデンサ２６を介してグラウンドパターンＰＧＮＤに接続されており、グラウンドパターンＰＧＮＤを高周波信号入力のアンテナ２５としている。入力結合コンデンサ２６とグラウンドパターンＰＧＮＤは外層を貫通する配線８により接続している。
これにより、電波環境にあるときは、負入力端子Ｔ−を経て演算増幅器２２の反転入力端子にアンテナ（グラウンドパターンＰＧＮＤ）からの高周波信号が入力されることになる。
【００２０】
以上のように構成されたレインセンサ３を電波環境に曝すと、その電波に対応する電圧変化が高周波信号検出回路２０の検出出力端子ＲＦＯＵＴに現われた。
図５はレインセンサ３の電源線およびワイパ駆動部２側との通信線を含むハーネスにＢＣＩ（Ｂｕｌｋ  Ｃｕｒｒｅｎｔ  Ｉｎｊｅｃｔｉｏｎ）法により周波数を３００ＭＨｚから６００ＭＨｚまで変化させながら、注入電流２００ｍＡの信号をＯＦＦ、ＯＮ（変調なし）およびＯＮ（１ＫＨｚ８０％変調）の順序で繰り返し断続して入力したときのデータを示す。
図５の（ａ）は高周波信号検出回路２０の検出出力端子ＲＦＯＵＴに現れる出力電圧をＡＤ変換したものであり、変調ピーク時にとくに大きな電圧が現れている。ＡＤ値５３０が注入信号ＯＦＦ時、ＡＤ値８８０が強い注入信号により演算増幅器２２が飽和時の各電圧に相当する。図５の（ｂ）は第１ピークホールド回路３１の出力電圧をＡＤ変換したものである。
検出出力端子ＲＦＯＵＴに現れる出力がとくに大きいタイミングで、第１ピークホールド回路３１の出力が大きく変化しており、電波が雨滴検出系統に雨滴と紛らわしい大きな影響を与えていることが分かる。
【００２１】
演算増幅器２２が低周波演算増幅器であるにもかかわらず、その入力端子の一方（ここでは反転入力端子）に高周波信号が入力したとき高周波信号の強度に応じた波形が出力される理由を推測すると、トランジスタＱ２はそのベースが直流の基準電圧でバイアスされた非反転入力端子に接続されているため高周波信号の影響を受けないのに対して、トランジスタＱ１はそのベースに高周波信号が入力して動作条件が異なることになり、寄生容量その他何等かの原因によってトランジスタＱ１のベース電流が減少するなどして、差動増幅出力として電圧増加などの変化を生じるものと考えられる。必要に応じて出力側に直流増幅器２３（図２参照）を設けることができる。
【００２２】
演算増幅器２２の出力端子と反転入力端子間の帰還抵抗Ｒ３により、この高周波信号検出における利得を調整することができる。さらに、負入力端子Ｔ−と検出出力端子ＲＦＯＵＴの間に設ける外部帰還抵抗２７によっても高周波信号検出の利得を調整することができる。
検出出力端子ＲＦＯＵＴに現れる出力を高周波検出電圧と呼ぶ。
【００２３】
以上の構成になるウインドワイパ装置１では、制御ユニット３０が一定時間間隔のパルスとした点灯タイミング信号を発光素子駆動回路１５へ出力する。
発光素子駆動回路１５は、点灯タイミング信号に基づいて、赤外線パルス光を出射するように発光素子１６を駆動する。
受光信号増幅回路１８は、雨滴によるウインドシールド界面の反射率の変化に対応する受光信号を制御ユニット３０へ出力する。
制御ユニット３０は受光信号の電圧低下状態に基づいて、すなわち、受光信号のピーク値の状態に基づいて降雨レベルを判定し、降雨レベルに対応したワイパ制御信号を出力する。
【００２４】
制御ユニット３０は一方で検出出力端子ＲＦＯＵＴからの高周波検出電圧を監視して、高周波検出電圧が予め設定された所定値を越えるときは、電波の影響による誤ったワイパ制御信号を出力しないように、誤作動防止モードに入る。
高周波検出電圧は適宜増幅することができ、上記所定値は増幅された高周波検出電圧の変化幅と誤作動発生レベルの対比で定める。
【００２５】
図６は制御ユニット３０における誤作動防止にかかる制御の流れを示すフローチャートである。制御ユニット３０は、常時、高周波信号検出回路２０から高周波検出電圧を入力している。
ステップ１００において点灯タイミング信号を発光素子駆動回路１５へ出力するとともに、第２ピークホールド回路３３で高周波検出電圧のピークホールドを開始する。
ステップ１０１では受光信号増幅回路１８からの受光信号を入力して第１ピークホールド回路３１でピークホールドし、ステップ１０２で、所定時間内の受光信号のピーク値をデータメモリ３２に記憶する。
【００２６】
ステップ１０３において、第２ピークホールド回路３３で受光信号のピークホールド期間と同じ所定時間における高周波検出電圧のピーク値を求め、ステップ１０４において、高周波検出電圧のピーク値が所定値より大きいかどうかをチェックする。
高周波検出電圧のピーク値が所定値以下のときはステップ１０５へ進んで、データ選択部３４によりデータメモリ３２に記憶されている今回より前（例えば前回）の受光信号のピーク値を消去したあと、ステップ１０６において、今回の受光信号のピーク値を選択して降雨判定部３５に入力する。
【００２７】
一方、高周波検出電圧のピーク値が所定値を越えるときは、ステップ１０７へ進んで、データ選択部３４によりデータメモリ３２に記憶した今回の受光信号を消去する。
そして、ステップ１０８において、データメモリに記憶されている今回より前の受光信号のピーク値を選択して降雨判定部３５に入力する。今回より前の受光信号のピーク値はそのままデータメモリ３２に記憶保持される。
ステップ１０６またはステップ１０８のあと、ステップ１０９において、降雨判定部３５では受光信号のピーク値の状態、例えば連続する所定回数の点灯タイミング信号の間における所定の閾値を越えるピーク値の個数や変化状態に基づいて、降雨レベルを判定する。
続くステップ１１０において、ワイパ制御信号生成部３６が降雨レベルに応じたワイパ制御信号を出力する。
【００２８】
なお、最初のフローでは今回より前の受光信号のピーク値はデータメモリ３２に記憶されていないから、ステップ１０８では降雨判定部３５へ入力するピーク値はない。
高周波検出電圧のピーク値が所定値以下のときは、ステップ１０５で今回より前の受光信号のピーク値はデータメモリ３２から消去されるので、データメモリ３２にはステップ１０２による今回の受光信号のピーク値のみが残される。
また、高周波検出電圧のピーク値が所定値を越えるときは、ステップ１０７で今回の受光信号のピーク値はデータメモリ３２から消去されるので、データメモリ３２には前回の受光信号のピーク値が残される。次回のフローでも高周波検出電圧のピーク値が所定値を越えるときは、新たな受光信号のピーク値も消去されるので、データメモリ３２には当該フローから見て前々回の古い受光信号のピーク値がそのまま残されることになる。
【００２９】
以上のようにして、データ選択部３４はデータメモリ３２に常に高周波検出電圧のピーク値が所定値以下のときの最新の受光信号のピーク値が保持されるようにし、高周波検出電圧のピーク値が所定値を越えるとき、すなわち所定レベル以上の電波環境にあるときは、その影響を受けている可能性のある今回の受光信号のピーク値を採用せず、最も近い過去における電波環境にないときの受光信号のピーク値を代用して降雨判定部３５に与える。
高周波検出電圧のピーク値が所定値を越えるときにステップ１０４からステップ１０７、１０８へ進み、今回の受光信号のピーク値ではなく、データメモリ３２に記憶されている前回以前の受光信号のピーク値を用いる流れが誤作動防止モードに該当する。
【００３０】
本実施の形態では、レインセンサ３が発明における電子機器に該当し、高周波信号検出回路２０が電波検出装置に該当する。そして、高周波検出電圧が高周波検出信号に該当する。
また、受光信号増幅回路１８が被影響回路に該当する。
【００３１】
実施の形態は以上のように構成され、電波検出装置としての高周波信号検出回路２０が、反転入力端子、非反転入力端子および出力端子を備える低周波の演算増幅器２２と、基準電圧を生成する分圧抵抗Ｒ４、Ｒ５と、該基準電圧を反転入力端子と非反転入力端子にそれぞれ接続するバイアス抵抗Ｒ１、Ｒ２と、出力端子と反転入力端子との間に接続される帰還抵抗Ｒ３と、反転入力端子に接続したアンテナ２５とから構成され、出力端子から電波強度に応じた高周波検出電圧が出力されるものとしたので、低コストで電波環境を検出できる。
また、演算増幅器２２、バイアス抵抗Ｒ１、Ｒ２および帰還抵抗Ｒ３を１つのＩＣチップＣ内に集積回路として形成しているので、小型に実現される。
【００３２】
また、発光素子１６と、発光素子１６から出射されウインドシールドＷの界面で反射した光を受光する受光素子１７と、受光素子１７の出力を増幅する受光信号増幅回路１８とを備え、受光信号増幅回路１８で増幅された受光信号に基づいて降雨レベルの判定を行うレインセンサ３にこの高周波信号検出回路２０を組み込み、その高周波検出電圧が所定値を越えるときは、電波の影響を受けた受光信号増幅回路１８からの受光信号に原因する誤作動を防止する誤作動防止モードを有するものとしたので、確実にレインセンサ３の誤作動が回避されるとともに、レインセンサとしても低価格化と小型化が可能となる。
【００３３】
誤作動防止モードは、高周波検出電圧が所定値を越える前の受光信号に基づいて降雨レベルの判定を行うものとしたので、電波の影響を受けた受光信号増幅回路１８からの受光信号が排除され、したがって適正な降雨レベルの判定にしたがってワイパ制御信号が生成される。
【００３４】
高周波信号検出回路２０の集積回路は、受光信号増幅回路１８を含む検知ユニット５の回路が集積されている同じＩＣチップＣとしたので、検知ユニット５がコンパクトに構成される。
また、ＩＣチップＣを実装する基板７のグラウンドパターンＰＧＮＤをアンテナ２５としているので、これによっても一層検知ユニット５がコンパクトに構成される。
【００３５】
実施の形態では、アンテナ２５を負入力端子Ｔ−を介して演算増幅器２２の反転入力端子に接続したが、アンテナ２５は演算増幅器２２の非反転入力端子に接続してもよい。
また、アンテナ２５として基板７内層のグラウンドパターンＰＧＮＤを兼用したが、これに限定されず、基板７表面の周辺に沿って細幅の銅箔等を設けて、専用のアンテナとしてもよい。
【００３６】
実施の形態では、誤作動防止モードとして、電波環境下にある今回の第１ピークホールド回路３１の出力（電波の影響を受けているはずの受光信号のピーク値）を排除して、今回より前の電波強度が低いときの第１ピークホールド回路３１の出力を用いて降雨レベルの判定を行うものとしたが、この代わりに、高周波検出電圧のピーク値が所定値を越える直前の降雨レベルの判定結果を維持するようにしてもよい。これによっても、電波の影響を受けない降雨レベルの判定にしたがってワイパ制御信号が生成されることになる。
さらに他の誤作動防止モードとしては、受光信号増幅回路１８の増幅率を低減させて、見かけの感度を下げることもできる。
【００３７】
実施の形態はレインセンサに適用した例について説明したが、本発明はその他電波の影響を受けやすい種々の電子機器に適用可能であり、上記と同様に感度を下げるなどの誤作動防止モードを設定することができる。
【符号の説明】
【００３８】
１    ウインドワイパ装置
２    ワイパ駆動部
３    レインセンサ
５    検知ユニット
６    ケース
７    基板
８    配線
１０    プリズム
１１    光導入部
１２    底面
１３    光導出部
１５    発光素子駆動回路
１６    発光素子
１７    受光素子
１８    受光信号増幅回路
２０    高周波信号検出回路
２２    演算増幅器
２３    直流増幅器
２５    アンテナ
２６    入力結合コンデンサ
３０    制御ユニット
３１    第１ピークホールド回路
３２    データメモリ
３３    第２ピークホールド回路
３４    データ選択部
３５    降雨判定部
３６    ワイパ制御信号生成部
Ｃ    ＩＣチップ
Ｍ    ワイパモータ
ＰＧＮＤ    グラウンドパターン
Ｑ１〜Ｑ４    トランジスタ
Ｒ１、Ｒ２    バイアス抵抗
Ｒ３    帰還抵抗
Ｒ４、Ｒ５    分圧抵抗
ＲＦＯＵＴ    検出出力端子
Ｔ−    負入力端子
Ｔ＋    正入力端子
Ｗ    ウインドシールド
【図１】
2011075388.tif 000003
【図２】
2011075388.tif 000004
【図３】
2011075388.tif 000005
【図４】
2011075388.tif 000006
【図５】
2011075388.tif 000007
【図６】
2011075388.tif 000008